(57)【要約】  インタラクティブな飲料容器は、クロージャによって封止され得る開口部を画定する飲料容器を含む。クロージャは、モバイルデバイスにデータを送信するように構成されている回路を更に含み得る。クロージャが、開口部に取り付けられた状態で閉鎖構成にあるとき、回路はモバイルデバイスにデータを送信せず、クロージャが、開口部から取り外された状態で開封構成にあるとき、回路はモバイルデバイスにデータを送信する。データは、栄養情報、マーケティング資料、ビデオを含み、ロイヤリティプログラムを追跡し、及び／又はゲーム若しくはコンテストを提供し得る。
2020527891.tif 000002
【特許請求の範囲】
【請求項１】
インタラクティブな飲料容器であって、
ボトルと、
前記ボトルの開口部を封止することによって前記飲料容器を閉鎖するためのキャップと、
前記キャップに取り付けられた回路であって、前記回路が、ブロードキャストエリアを介してデータを送信するように構成されている、回路と、を備え、
前記飲料容器が前記キャップによって閉鎖されているとき、前記回路の前記ブロードキャストエリアは前記ボトルの外側に延在せず、
前記飲料容器が開いているとき、前記ブロードキャストエリアは前記キャップから外に延在し、前記データは、前記ブロードキャストエリア内のモバイルデバイスによって受信可能である、インタラクティブな飲料容器。
【請求項２】
前記データが無線周波数によって前記モバイルデバイスに転送される、請求項１に記載のインタラクティブな飲料容器。
【請求項３】
前記回路が、前記キャップの裏面に取り付けられ、封止されている、請求項１に記載のインタラクティブな飲料容器。
【請求項４】
前記回路が前記キャップ内に埋め込まれている、請求項１に記載のインタラクティブな飲料容器。
【請求項５】
前記ブロードキャストエリアが、前記キャップの裏面に垂直な方向に延在する、請求項１に記載のインタラクティブな飲料容器。
【請求項６】
前記ブロードキャストエリアが、前記飲料容器の高さよりも小さい距離に延在する、請求項５に記載のインタラクティブな飲料容器。
【請求項７】
遮蔽要素が前記キャップ内に埋め込まれ、前記遮蔽要素が、前記キャップを貫通しての前記データの前記送信を防止する、請求項１に記載のインタラクティブな飲料容器。
【請求項８】
前記回路から転送された前記データは、前記モバイルデバイスがネットワークを介してオーディオ又はビデオコンテンツにアクセスすることを可能にする、請求項１に記載のインタラクティブな飲料容器。
【請求項９】
前記回路から転送された前記データは、前記モバイルデバイスがネットワークを介してコンテンツにアクセスすることを可能にし、
前記コンテンツは、前記モバイルデバイスの地理的位置に依存する、請求項１に記載のインタラクティブな飲料容器。
【請求項１０】
前記回路から転送された前記データは、前記モバイルデバイスがネットワークを介してコンテンツにアクセスすることを可能にし、
前記コンテンツは、前記モバイルデバイスによる前記コンテンツへのアクセスの時間に依存する、請求項１に記載のインタラクティブな飲料容器。
【請求項１１】
前記回路がＮＦＣタグである、請求項１に記載のインタラクティブな飲料容器。
【請求項１２】
飲料容器用のクロージャであって、前記クロージャが、
頂壁と、
前記頂壁から下方に延在する環状裾部と、
前記頂壁に結合され、無線信号を送信するように構成された回路と、を備え、
前記無線信号は、前記環状壁を貫通せず、前記クロージャが飲料容器に取り付けられていないときにのみ、モバイルデバイスによって受信可能である、クロージャ。
【請求項１３】
前記回路が前記頂壁内に埋め込まれている、請求項１２に記載のクロージャ。
【請求項１４】
前記回路が、前記頂壁の裏面に取り付けられ、封止されている、請求項１２に記載のクロージャ。
【請求項１５】
遮蔽要素が前記頂壁及び前記環状裾部内に埋め込まれている、請求項１２に記載のクロージャ。
【請求項１６】
前記回路は、前記クロージャが固定されている飲料容器に向かって及びその内部で無線信号を送信するように構成されている、請求項１２に記載のクロージャ。
【請求項１７】
前記回路が、前記飲料容器の最大高さ以内に無線信号を送信するように構成されている、請求項１６に記載のクロージャ。
【請求項１８】
飲料容器からモバイルデバイスにデータを送信する方法であって、前記方法は、
飲料容器クロージャの通信チップにおいて電磁的に電力を受信して、前記通信チップを起動することと、
前記クロージャが飲料容器に取り付けられていないときに、データを前記通信チップから前記クロージャの開放端の方向にのみ送信することであって、前記データがモバイルデバイスによって受信可能である、ことと、を含む、データを送信する方法。
【請求項１９】
前記通信チップが、前記クロージャの裏面に垂直な方向にデータを送信する、請求項１７に記載のデータを送信する方法。
【請求項２０】
前記クロージャが飲料容器に取り付けられているときに、前記通信チップから第２のデータを送信することを更に含み、
前記第２のデータが前記第１のデータとは異なる、請求項１７に記載のデータを送信する方法。
【発明の詳細な説明】
【技術分野】
【０００１】
本発明は、概して、飲料容器、及び飲料容器と顧客のモバイルデバイスとの間の通信に関する。
【発明の概要】
【０００２】
本開示の態様は、インタラクティブな飲料容器を含む。飲料容器は、ボトルと、ボトルの開口部を封止するためのキャップと、キャップに取り付けられた回路と、を含む。回路は、ブロードキャストエリアを介してデータを送信するように構成されている。いくつかの実施形態では、飲料容器がキャップによって閉鎖されているとき、回路のブロードキャストエリアはボトルの外側にない。いくつかの実施形態では、飲料容器が開いているとき、ブロードキャストエリアはキャップから外に延在し、データは、ブロードキャストエリア内のモバイルデバイスによって受信され得る。
【０００３】
本開示の他の態様では、飲料容器用のクロージャは、頂壁と、頂壁から下方に延在する環状裾部と、頂壁に結合され、無線信号をモバイルデバイスに送信するように構成された回路と、を含む。いくつかの実施形態では、無線信号は、環状壁を貫通せず、クロージャが飲料容器に取り付けられていないときにのみ、モバイルデバイスによって受信可能である。
【０００４】
本開示の他の態様では、飲料容器からモバイルデバイスにデータを送信する方法は、飲料容器クロージャの通信チップにおいて電磁的に電力を受信して、通信チップを起動することと、クロージャが飲料容器に取り付けられていないときに、データを通信チップからクロージャの開放端の方向にのみ送信することであって、データがモバイルデバイスによって受信可能である、ことと、を含む。
【０００５】
この概要は、本明細書に記載の新規な特徴の網羅的なリストではなく、特許請求の範囲を限定するものではない。これらの特徴及び他の特徴は、下記でより詳細に説明する。
【図面の簡単な説明】
【０００６】
本明細書におけるいくつかの特徴は、添付図面において、限定としてではなく、例として例示されている。図面において、同様の数字は、図面間の類似した要素を参照する。
【０００７】
【図１】インタラクティブな飲料容器の斜視図を示す。
【０００８】
【図２】キャップがモバイル通信デバイスと一緒に取り外されている状態の図１のインタラクティブな飲料容器、及びネットワークを示す。
【０００９】
【図３Ａ】図２のキャップを示す。
【図３Ｂ】図２のキャップを示す。
【００１０】
【図４】通信チップ及び封止部を有する、図３の線４−４に沿ってとられた、図２のキャップの一実施形態の断面図を示す。
【００１１】
【図５】キャップ内に埋め込まれた通信チップを有する、図３の線４−４に沿ってとられた、図２のキャップの一実施形態の断面図を示す。
【００１２】
【図６】通信チップが単一方向でブロードキャストしている状態のインタラクティブな飲料容器を示す。
【００１３】
【図７】通信チップが２方向でブロードキャストしている状態のインタラクティブな飲料容器を示す。
【００１４】
【図８】通信チップ、封止部、及び遮蔽要素を有する、図３の線４−４に沿ってとられた、図２のキャップの一実施形態の断面図を示す。
【００１５】
【図９】インタラクティブな飲料容器からのデータの送信のフローチャートを示す。
【００１６】
【図１０】キャップ内の通信チップと顧客のモバイルデバイスとの間の通信のフローチャートを示す。
【発明を実施するための形態】
【００１７】
様々な例示的な実施形態に関する以下の説明では、添付図面を参照する。添付図面は、本明細書の一部分を構成し、添付図面において、実例として、本開示の態様を実施することができる様々な実施形態を示す。本開示の範囲から逸脱することなく、他の実施形態を利用することができ、構造的変更及び機能的変更を行うことができることが理解されるべきである。
【００１８】
飲料などの製品の売り手は、顧客が製品を購入又は楽しむときに、顧客のモバイルデバイス（例えば、スマートフォン又はタブレット）と通信することを望む場合がある。本開示は、顧客のモバイルデバイスにデータを送信することができる通信チップを含む飲料容器であって、チップが顧客のデバイスと通信することによって顧客が売り手からの情報を受け取ることができる、飲料容器を説明する。例えば、飲料容器が開封されると、チップは、飲料の栄養情報を顧客に通知する、又は飲料を選ぶ優れたセンスについて顧客を祝福するメッセージ（又はメッセージへのアクセス）を含むデータを顧客に送信し得る。通信チップは、オーディオ又はビデオなどのコンテンツ（又はコンテンツへのアクセス）を顧客に送信し得る。あるいは、チップは、お客様のモバイルデバイスに広告又は報酬ポイントなどのマーケティング資料を送信してもよい。
【００１９】
図１は、本開示の態様によるインタラクティブな飲料容器１００を示す。飲料容器１００は、ボトル１１０のネック部１１２内に開口部２４０（図２を参照）を有する容器又はボトル１１０を含み得る。ボトル１１０のサイズ及び幾何学形状は様々であり得る。ボトル１１０は、消費のための飲料（例えば、水、ジュース、ソフトドリンク、アイスティー、運動選手用の飲料、エネルギードリンクなど）を保持し得る。飲料容器１００は、内部の飲料の完全性を維持するために、ボトル１１０のネック部１１２内の開口部２４０を封止するためのクロージャ１２０（例えば、ボトルキャップ）を更に含み得る。開口部２４０を封止するために、様々な異なる種類のクロージャデバイスが使用され得る。ボトル１１０のクロージャ１２０は、顧客のモバイルデバイスと通信するための通信チップ１３０を更に含み得る。
【００２０】
図２は、ボトル１１０、クロージャ１２０、通信チップ１３０を含むインタラクティブな飲料容器１００、及びモバイルデバイス２００を示す。モバイルデバイス２００は、ディスプレイスクリーン２１０及び対応する通信チップ２２０を含み得る。クロージャ１２０の通信チップ１３０は、モバイルデバイス２００の対応する通信チップ２２０と通信するように構成されている。対応する通信チップ１３０及び２２０は、ＲＦＩＤ（無線周波数識別）、ＮＦＣ（近距離無線通信）、又は任意の他の好適な通信プロトコルを通じて互いに通信し得る。例えば、通信チップ１３０は、無線周波数（例えば、ＲＦＩＤ及びＮＦＣ送信のための一般的な高周波規格である１３．５６ＭＨｚ）を使用してモバイルデバイス２００の対応する通信チップ２２０と通信するＮＦＣタグであり得る。
【００２１】
通信チップ１３０は、顧客に転送するデータを記憶するプリント電子回路などの回路であり得る。いくつかの実施形態では、モバイルデバイス２００へのデータの転送は、モバイルデバイス２００のネイティブな機能に依存しており、通信チップ１３０と通信チップ２２０との間の通信を開始するために、モバイルデバイス２００上で特別なアプリケーションを必要としない。いくつかの実施形態では、モバイルデバイス２００へのデータの転送は、モバイルデバイス２００上に前もってインストールされたアプリケーションに依存する。チップ１３０と２２０との間で通信するには、単に互いに近接していればよい。例えば、チップ１３０及び２２０は、２０ｃｍ未満で離れていてもよい。
【００２２】
いくつかの実施形態では、通信チップ１３０は、データを記憶するためのメモリを含み得る。データは、特定の種類のコンテンツ、又はそのようなコンテンツにアクセスするための情報を含み得る。例えば、ウェブサイトのＵＲＬなどのリンクがメモリに記憶され得、このリンクは、モバイルデバイス２００内の対応する通信チップ２２０に転送され得る。いくつかの実施形態では、通信チップ１３０は、モバイルデバイス２００が特定のプログラム（例えば、ウェブブラウザ、特別なアプリケーションなど）を開いてリンクを実行するための追加の命令を転送し得る。モバイルデバイス２００は、ネットワーク２５０（例えば、インターネット）を介してサーバ２６０上のリンクにアクセスして、顧客がコンテンツにアクセスすることを可能にし、モバイルデバイス２００のディスプレイ２１０上にコンテンツを表示するか、又は別の方法でコンテンツを（例えば、オーディオ構成要素を有するコンテンツの場合にはモバイルデバイス２００のスピーカを介して）提供し得る。モバイルデバイス２００は、無線ネットワーク、セルラネットワーク、Ｗｉ−Ｆｉ、Ｂｌｕｅｔｏｏｔｈ（登録商標）、又は任意の他の同様の無線タイプの接続など、情報を転送するために当該技術分野において既知であり、かつ使用されている任意の手段によって、ネットワーク２５０を介してサーバ２６０にアクセスし得る。
【００２３】
いくつかの実施形態では、通信チップ１３０は受動的であり、それ自体の電源を有しなくてもよい。通信チップ１３０は、モバイルデバイス２００内の対応する通信チップ２２０から電磁場を介して電力を引き出し、通信チップ１３０が電力を受信した後、対応する通信チップ２２０にデータを送信し得る。代替的に、通信チップ１３０は能動的であり、それ自体の電源を有し得、外部電力を引き出さずに、データを常時又は定期的に送信し得る。加えて、能動的な通信チップ１３０は、対応する通信チップ２２０とのピアツーピア通信に参加し得る。
【００２４】
いくつかの実施形態では、通信チップ１３０と２２０との間の通信は、顧客が、飲料容器１００を購入し、クロージャ１２０を取り外すことによって開封した後にのみ発生する。慣習的に支払いは飲料が開封される前に行われるので、これは、顧客が製品の代金を支払うことなく通信チップ１３０上のデータ及び対応するコンテンツにアクセスすることを防止する。
【００２５】
いくつかの実施形態では、飲料容器１００内に収容された飲料を購入し、クロージャ１２０を開封した後、通信チップ１３０は、顧客の利益のために、コンテンツにアクセスするためのデータをモバイルデバイス２００の通信チップ２２０に転送し得る。例えば、コンテンツは、栄養情報、マーケティング資料、ビデオ、ロイヤリティプログラムの報酬ポイント、ゲーム又はコンテストなどを含み得、したがって、購入後に飲料容器１００が顧客と相互作用することを可能にする。
【００２６】
例えば、顧客が飲料容器１００を購入し、クロージャ１２０を取り外すことによってそれを開封した後、通信チップ１３０は、顧客のモバイルデバイス２００に栄養情報（又は、以下でより詳細に記載されるように、例えば、情報がリモートサーバ上に記憶されている場合、栄養情報へのアクセス）を転送し得る。栄養情報としては、飲料の１食分量、容器当たりの１食分量数、カロリー、総脂質、ナトリウム、炭水化物、糖類、タンパク質、一日栄養所要量の割合、成分などが挙げられ得る。モバイルデバイス２００は、顧客のモバイルデバイス上に特別なアプリケーションを必要としないので、通信チップ２２０が通信チップ１３０の所定の距離内に到来すると、栄養情報は、単に（任意追加的には、その出現を顧客がプロンプト又はモバイルデバイス２００の他の認可機構を通じて許可した後に）、顧客のディスプレイスクリーン２１０上に現れる。
【００２７】
別の例では、顧客が飲料容器１００を購入し、クロージャ１２０を開封した後、通信チップ１３０は、マーケティング資料（又はマーケティング資料へのアクセス）を顧客のモバイルデバイス２００に転送し得る。マーケティング資料としては、クーポン、コマーシャル、販売促進資料などが挙げられ得る。いくつかの実施形態では、マーケティング資料は、独占的なコンテンツであり、飲料を購入している顧客にのみ利用可能である。
【００２８】
別の例では、顧客が飲料容器１００を購入し、クロージャ１２０を開封した後、通信チップ１３０は、独占的なビデオ（又はビデオへのアクセス）を顧客のモバイルデバイス２００に転送し得る。いくつかの実施形態では、ビデオは、飲料を購入した顧客に独占的であり、インターネット、ソーシャルメディア、又は他のリソースを介して自由に利用することはできない。ビデオは、飲料ブランドのためのミュージシャン、アスリート、アーティスト、モデル、及び他の様々な代弁者からのビデオを含み得る。
【００２９】
別の例では、顧客が飲料容器１００を購入し、クロージャ１２０を開封した後、通信チップ１３０は、顧客のロイヤリティポイントを転送及び追跡し得る。顧客のモバイルデバイス２００は、顧客のロイヤリティカードとして機能し、顧客のロイヤリティポイントを記憶及び追跡するか、又はそれを行うデータベースへのアクセスを提供し得る。顧客は、ロイヤリティポイントを集め、ロイヤリティポイントを様々な景品又は販売促進商品に換えることができる。
【００３０】
別の例では、顧客が飲料容器１００を購入し、クロージャ１２０を開封した後、通信チップ１３０は、ゲーム（又はゲームへのアクセス）を転送するか、又は顧客をスウィープステークス若しくはコンテストに参加させ得る。例えば、顧客は、景品のための独占的なスウィープステークスに自動的に参加させられ得る。景品としては、販売促進品、無料の飲料、コンサート又は運動競技イベントへのチケット、全費用支払済みの旅行などが挙げられ得る。いくつかの実施形態では、顧客は、モバイルデバイス２００のための独占的なゲームへのアクセス、又は公衆的に利用可能なゲームへの無料アクセスを獲得し得る。いくつかの実施形態では、顧客は、公衆的に利用可能であるゲームのためのものも含めて、ゲームのためのキャラクター、レベル、ゲーム内通貨、又はポイントなどのコンテンツへのアクセスを獲得し得る。
【００３１】
いくつかの実施形態では、通信チップ１３０から顧客のモバイルデバイス２００へ転送されるデータは、通信チップ１３０又は通信チップ２２０の地理的位置によって調節され得る。例えば、モバイルデバイス２００は、モバイルデバイス２００が自身の地理的位置を追跡することを可能にするＧＰＳ（全地球測位システム）受信機を含み得る。クロージャ１２０の通信チップ１３０及びモバイルデバイスの通信チップ２２０が通信するとき、通信チップ１３０のメモリに記憶されているデータは、モバイルデバイス２００の地理的位置に調整され得る。例えば、通信チップ１３０が通信チップ２２０によって読み取られると、通信チップ２２０は、チップ１３０から受信したデータ及びそれ自身の位置に関するデータの両方を、ネットワーク２５０を介してサーバ２６０に送信し得る。サーバ２６０は、チップ１３０からのデータを、コンテンツを返すための命令であると認識し得、モバイルデバイス２００の位置に関連付けられているアクセス可能なコンテンツを認識し得る。サーバ２６０は、次いで、モバイルデバイス２００が存在する領域に関連付けられたコンテンツをモバイルデバイス２００に送信することができる。
【００３２】
例えば、通信チップ１３０は、スポーツリーグ内の各チームのための販売促進資料へのアクセスを提供し得る。しかしながら、各チームのための販売促進資料は、モバイルデバイス２００が、スポーツチームの特定の距離（例えば、半径２００マイル）内にあるか、又はそのスポーツチームのホームスタジムに、リーグ内の他のどのスポーツチームのスタジアムに対してよりも近い場合にのみ、モバイルデバイス２００に転送される。また、例えば、国は特定の地理的領域に分割され得、特定の地理的領域に関するコンテンツは、モバイルデバイス２００がその特定の地理的領域内にある場合にのみ転送される。
【００３３】
いくつかの実施形態では、通信チップ１３０は、クロージャ１２０の位置を追跡するＧＰＳ受信機を含み得る。通信チップ１３０のＧＰＳ受信機は、チップ２２０について上述したのと同じように、通信チップ１３０の地理的位置に基づいて転送されるデータを調節する。
【００３４】
いくつかの実施形態では、通信チップ１３０は、顧客のモバイルデバイス２００に転送されるコンテンツを時間及び位置に基づいて調整し得る。モバイルデバイス２００は、ＧＰＳ受信機、時計、及びカレンダーを含み得、これらは、モバイルデバイス２００の位置、日付、及び時間を追跡する。モバイルデバイス２００へのコンテンツの転送は、モバイルデバイス２００が通信チップ１３０からデータを受信したときの位置、日付、時間に合わせて調整され得る。例えば、通信チップ１３０が通信チップ２２０によって読み取られると、通信チップ２２０は、チップ１３０から受信したデータ並びにモバイルデバイス２００の位置、日付、及び時間に関するデータの両方を、ネットワーク２５０を介してサーバ２６０に送信し得る。サーバ２６０は、チップ１３０からのデータを、コンテンツを返すための命令であると認識し得、モバイルデバイス２００の位置、日付、及び時間に関連付けられているアクセス可能なコンテンツを認識し得る。したがって、コンテンツは、販売促進イベント、スポーツイベント、又はコンサートなどの特定のローカルイベントにある又はそれに関連しているモバイルデバイス２００にのみ、サーバ２６０から転送され得る。時間範囲は、例えば、数日から、数時間まで、更には数分まで、様々であり得る。
【００３５】
別の実施形態では、販売促進イベントは、日付及び時間範囲に基づき得る。例えば、通信チップ１３０が通信チップ２２０によって読み取られると、通信チップは、チップ１３０から受信したデータ並びにモバイルデバイス２００の日付及び時間に関するデータの両方を、ネットワーク２５０を介してサーバ２６０に送信し得る。顧客は、特定の販売促進イベント又は景品へのアクセスを販売促進イベントの特定の日付及び時間の範囲に基づいて獲得し得る。例えば、顧客は、１週間のみ実施される、１つ買うと１つ無料の販売促進イベントへのアクセスを獲得し得る。別の例では、顧客は、１日の特定の時間範囲（例えば、午前１０時〜午前１１時）においてスウィープステークスに参加し得る。
【００３６】
いくつかの実施形態では、通信チップ１３０は、クロージャ１２０の位置、日付、及び時間を追跡するＧＰＳ受信機、時計、カレンダーを含み得る。通信チップ１３０のＧＰＳ受信機、時計、及びカレンダーは、チップ２２０について上述したのと同じように、通信チップ１３０の地理的位置並びに日付及び時間に基づいて転送されるデータを調節し得る。
【００３７】
クロージャ１２０は、様々な異なる様式でボトル１１０に取り付けられ得る。例えば、図２は、ボトル１１０のネック部１１２上のねじ仕上げ部２３０を示す。クロージャ１２０は、対応するねじ仕上げ部をクロージャ１２０内に有し得る。顧客は、ボトル１１０からクロージャ１２０を螺脱することによって、ボトル１１０からクロージャ１２０を取り外し得る。ボトル１１０に飲料を充填した後、クロージャ１２０は、ボトル１１０に取り付けられ、封止されて、飲料の完全性を封じ込め、維持し得る。更なる種類のクロージャとしては、クラウントップ、スナップオン、摩擦嵌合、不正開封防止などが挙げられ得る。
【００３８】
図３Ａ及び図３Ｂは、いくつかの実施形態によるクロージャ１２０を示す。いくつかの実施形態では、クロージャ１２０は、頂壁３１０と、クロージャ１２０の側壁として機能する環状裾部又は外壁３２０と、を含み得る。環状裾部３２０は、ボトル１１０のネック部１１２に固定されるように適合されている。環状裾部３２０の内面は、ボトル１１０のねじ仕上げ部２３０に対応するねじ山４１０（図４、図５、及び図８を参照）を含み得る。
【００３９】
図４は、図３Ｂの断面線４−４に沿ってとられた、一実施形態によるクロージャ１２０の断面図を示す。通信チップ１３０は、頂壁３１０の裏面４００に固定され得る。通信チップ１３０は、ホットメルト接着剤、ラミネートフィルム、発泡体パウチなどによって裏面４００に固定され得る。通信チップ１３０はまた、ヒートシール、ＲＦ（高周波）溶接、機械的な取り付けなどによって、クロージャ１２０の裏面４００に取り付けられ得る。通信チップ１３０は、クロージャ１２０内のクロージャライナー４２０によってクロージャ１２０の裏面４００に封止され得る。ライナー４２０は、飲料及びチップ１３０の完全性を維持するために、通信チップ１３０をクロージャの裏面４００に封止して、通信チップ１３０がボトル１１０内の飲料と接触するのを防ぐように、ポリエチレンテレフタレート（ＰＥＴ）又は他の好適な材料から製造され得る。
【００４０】
図５は、図３Ｂの断面線４−４に沿ってとられた、一実施形態によるクロージャ１２０の断面図を示す。通信チップ１３０は、クロージャ１２０内に埋め込まれ得る。いくつかの実施形態では、通信チップ１３０は、クロージャ１２０の頂壁３１０内に埋め込まれ得る。いくつかの実施形態では、通信チップ１３０は、クロージャ１２０の成形プロセス中に埋め込まれ得る。いくつかの実施形態では、通信チップ１３０は、クロージャ１２０の環状裾部３２０内に埋め込まれ得る。通信チップ１３０がクロージャ１２０内に埋め込まれ、封止されているので、通信チップ１３０とボトル１１０内の飲料との間の接触は防止されている。
【００４１】
いくつかの実施形態では、通信チップ１３０は、クロージャ１２０がボトル１１０から取り外された後にのみ、モバイルデバイス２００の対応する通信チップ２２０と通信することができる。いくつかの実施形態では、通信チップ１３０は、単一方向のみに信号を送信する（例えば、通信チップは、それが送信する方向から１８０度の方向には送信せず、例えば、下方に送信するが上方には送信せず、逆もまた同様である）。例えば、通信チップ１３０は、単一方向のみに信号を送信するＮＦＣタグであり得る。図６は、信号６００をクロージャ１２０の裏面４００に対して垂直な単一方向に送信する通信チップ１３０を示す。信号６００は、ボトル１１０内の飲料に向かって送信される。飲料を購入する前の信号６００へのアクセスを最小限に抑えるために、信号６００は、ボトル１１０の高さｈよりも小さい、短い距離ｄだけ送信される。いくつかの実施形態では、距離ｄは２０ｃｍ未満である。
【００４２】
信号６００へのアクセスを更に最小限に抑えるために、信号６００の横方向の範囲は、ボトル１１０の側壁内に留まるように（例えば、以下でより詳細に記載されるように、信号６００の送信角度を制約することによって、又は信号６００の部分を遮断することによって）制約され得る。信号６００が狭く、短い距離にわたってのみ伝わるので、クロージャ１２０がボトル１１０に取り付けられているとき、信号６００のブロードキャストエリアはボトル１１０内にあるので、顧客のモバイルデバイス２００は、信号６００を受信することができない。図２に示すように、顧客のモバイルデバイス２００は、顧客がボトル１１０からクロージャ１２０を取り外し、裏面４００をモバイルデバイス２００の方向に向けた後にのみ、通信チップ１３０上のコンテンツにアクセスすることができる。
【００４３】
いくつかの実施形態では、通信チップ１３０は電源を有しておらず、信号６００を送信するためにモバイルデバイス２００からの電力を受信することに依存している。いくつかの実施形態では、通信チップ１３０は、モバイルデバイス２００からの電力を任意の方向から受信することができるが、しかしながら、通信チップ１３０は、信号６００を、クロージャ１２０の裏面４００に対して垂直な単一方向にのみ送信する。いくつかの実施形態では、通信チップ１３０は、通信シップ２２０が信号６００のブロードキャストエリア内にあるときのモバイルデバイス２００から、又は単一の方向から（例えば、通信チップ１３０がクロージャ１２０から送出することができるのと同じ方向から）の電力のみを受信することができる。
【００４４】
いくつかの実施形態では、通信チップ１３０は、複数の（例えば、２つの）方向にデータを転送することができる。図７は、信号６００及び７００を２つの別個の方向に送信する通信チップ１３０を示す。図６と同様に、信号６００は、クロージャ１２０の裏面４００に垂直な方向に送信される。通信チップ１３０はまた、クロージャ１２０及びボトル１１０から離れる別個の方向に信号７００を送信するようにも構成されている。これら２つの異なる信号は、異なる種類のデータを顧客に転送し得る。いくつかの実施形態では、信号６００及び信号７００のそれぞれは、別個の通信チップ１３０によって送信される。
【００４５】
いくつかの実施形態では、信号７００は、顧客が飲料を購入するか、又はクロージャ１２０を取り外す前に、コンテンツにアクセスする顧客にデータを転送する。このデータは、飲料の購入に限定されるものではなく、顧客が自身のモバイルデバイス２００上で販売促進材料、コマーシャル、及び／又はクーポンなどのコンテンツにアクセスすることを可能にして、顧客に飲料の購入を促し得る。いくつかの実施形態では、通信チップ１３０は、ロイヤリティポイント数、顧客が飲料を購入すると受け取ることができるロイヤリティポイント数、及び特定の景品を受け取るのに足りないロイヤリティポイント数を顧客に通知し得る。
【００４６】
いくつかの実施形態では、図７の信号６００は、顧客が飲料を購入した後にのみ、顧客にデータを転送する。図６の信号６００と同様に、信号６００によって転送されたデータは、飲料を購入した顧客のための、ネットワーク２５０を介した独占的なコンテンツへのアクセスを提供する。
【００４７】
いくつかの実施形態では、通信チップ１３０からの信号６００の方向は、他の方法で制限され得る。例えば、図８は、図３Ｂの断面線４−４に沿ってとられた、一実施形態によるクロージャ１２０の断面図を示す。図４と同様に、クロージャ１２０は、クロージャ１２０の裏面４００に固定された通信チップ１３０を含む。通信チップ１３０は、ライナー４２０によってクロージャ内で封止されている。いくつかの実施形態では、クロージャ１２０は、クロージャ１２０がボトル１１０に取り付けられているとき、クロージャ１２０の裏面４００に垂直で、クロージャ１２０の開放端に向かい、ボトル１１０内へと入る方向以外の全ての方向で通信チップ１３０の信号６１０を遮断、吸収、又は屈折させる遮蔽要素８００を更に含み得る。遮蔽要素８００は、頂壁３１０及び環状裾部３２０内に埋め込まれ得、通信チップ１３０を周囲方向に取り囲み得る。
【００４８】
いくつかの実施形態では、遮蔽要素８００は、通信チップ１３０が遮蔽要素８００に取り付けられた状態でクロージャ１２０の内壁及び裏面４００に取り付けられ得る。ライナー４２０は、通信チップ１３０を封止して、ボトル１１０内の飲料との遮蔽要素８００の接触を防止し得る。いくつかの実施形態では、遮蔽要素８００は、クロージャ１２０の外面を包囲し得る。いくつかの実施形態では、遮蔽要素８００及び通信チップ１３０は、両方ともクロージャ１２０内に埋め込まれ得る。
【００４９】
遮蔽要素８００は、通信チップ１３０によって送信された信号６１０を反射、吸収、又は屈折させることができる、アルミニウム、銅などの導電性金属であり得る。
【００５０】
図９は、モバイルデバイス２００の対応する通信チップ２２０と通信するための通信チップ１３０からのデータの送信のフローチャートを示す。Ｓ９１０では、通信チップ１３０が製造される。通信チップ１３０は、プリント電子回路であり得、チップ、アンテナ、及びインレイを含み得る。通信チップ１３０のメモリは、６４バイト〜８キロバイトの範囲であり得る。通信チップ１３０は、製造時にデータを用いてプログラムされ得、又は通信チップ１３０は、製造後の任意の時間に書き換え可能かつ再プログラム可能であり得る。したがって、通信チップ１３０上のデータは、飲料容器１００の調製中の任意の都合のよい時点で変更され得る。
【００５１】
Ｓ９２０では、クロージャ１２０が製造され、クロージャ１２０は通信チップ１３０を含む。クロージャ１２０は、射出成形、圧縮成形などの様々な製造プロセスによって製造され得る。前述したように、通信チップ１３０は、クロージャ１２０内に埋め込まれ得、又はクロージャの裏面４００に取り付けられ得る。
【００５２】
Ｓ９３０では、ボトル１１０に飲料が充填された後、飲料ボトル１１０内の飲料の完全性を維持するために、クロージャ１２０がボトル１１０に取り付けられ、封止される。クロージャ１２０が封止されているか、又はボトル１１０に取り付けられたクロージャ１２０で構成される閉鎖状態にあるとき、通信チップ１３０は、モバイルデバイス２００の対応する通信チップ２２０と通信しない。
【００５３】
Ｓ９４０では、顧客が消費のために飲料を購入し得る。いくつかの実施形態では、飲料は、販売促進品として提供され、顧客に販売されなくてもよい。いずれの場合でも、ボトル１１０を開封するために、クロージャ１２０がボトル１１０から取り外され得る。
【００５４】
Ｓ９５０では、ボトル１１０又は開封構成の飲料容器１００からクロージャ１２０が取り外されると、通信チップ１３０は、モバイルデバイス２００が、例えば、１０ｃｍ又は２０ｃｍなどの所定の距離内にある場合、モバイルデバイス２００の対応する通信チップ２２０にデータを送信し得る。前述したように、通信チップ１３０は、データを送信するか、又はネットワーク２５０を介してのサーバ２６０上のコンテンツへのアクセスをモバイルデバイス２００に提供し得る。
【００５５】
図１０は、通信チップ１３０がモバイルデバイス２００とどのように相互作用するかのフローチャートを示す。いくつかの実施形態では、通信チップ１３０は、受動チップであり、電磁場を介して電力を受信する。Ｓ１０１０では、通信チップ１３０に電力を供給するために電磁場を介して電力が送信される場合、通信チップ１３０は、モバイルデバイス２００から電力を受信する。モバイルデバイス２００が、例えば、１０ｃｍ又は２０ｃｍなどの所定の距離内にある場合にのみ、電力は通信チップ１３０に送信され得る。
【００５６】
Ｓ１０２０では、通信チップ１３０が電力を受信すると、通信チップ１３０は、対応する通信チップ２２０にデータを送信する。データは、例えば、１３．５６ＭＨｚなどの無線周波数を介して転送され得る。前述したように、データは、顧客がボトル１１０からクロージャ１２０を取り外した後に転送される。
【００５７】
Ｓ１０３０では、モバイルデバイス２００が、通信チップ１３０から受信したデータに基づいて、サーバ２６０からのコンテンツにネットワーク２５０を介してアクセスする。モバイルデバイス２００は、データを、サーバ２６０からのコンテンツにネットワーク２５０を介してアクセスする命令として認識する。モバイルデバイスは、無線ネットワーク、セルラネットワーク、Ｗｉ−Ｆｉ、Ｂｌｕｅｔｏｏｔｈ（登録商標）、又は任意の他の同様の無線タイプの接続を介してネットワーク２５０にアクセスし得る。
【００５８】
いくつかの実施形態では、通信チップ１３０からモバイルデバイス２００に転送されたデータは、モバイルデバイス２００を通じて顧客に出力されることができるコンテンツそのものである。このような実施形態では、Ｓ１０３０は省略され得る。本明細書に記載される全ての実施形態は、コンテンツが、モバイルデバイス２００によって、通信チップ１３０から直接アクセスされるか、又は通信チップ１３０から受信されたデータに基づいてネットワーク２５０を介してアクセスされるように、適合され得ることを理解されたい。どの選択肢を使用するかについての決定は、例えば、データのサイズ（例えば、大きすぎて通信チップ１３０のメモリでは経済的に見合わない場合）、無線ネットワークの利用可能性、又はコンテンツの売上若しくはアクセスを監視若しくは追跡するための所望の能力など、任意の関連する考慮事項に依存し得る。
【００５９】
Ｓ１０４０では、モバイルデバイス２００はコンテンツへのアクセスを有し、コンテンツは顧客に対して利用可能である。コンテンツは、モバイルデバイス２００によって顧客（例えば、ディスプレイ２１０、スピーカなど）に出力され得る。
【００６０】
「発明の概要」及び「要約書」のセクションではなく、「発明を実施するための形態」のセクションは、特許請求の範囲を解釈するために使用されることが意図されていることを理解されたい。「発明の概要」及び「要約書」のセクションは、本発明者（複数可）によって考えられるように、本発明の１つ以上だが全てではない例示的な実施形態を示し得るが、決して本発明及び添付の特許請求の範囲を限定するものではない。
【００６１】
特定の実施形態の前述の説明は、当業者が知識を適用することにより、他の人にも可能である、そのような特定の実施形態を様々な用途に容易に変更及び／又は適合させ、過度の実験をすることなく、本発明の一般的な概念から逸脱することなく、本発明の一般的な性質を完全に明らかにするであろう。したがって、そのような適合及び修正は、本明細書で提示した教示や指導に基づいて、開示の実施形態の等価物の意味及び範囲内にあることが意図される。本明細書の表現法又は用語法は、説明を目的とするものであって、限定するものではないことを理解されたく、それ故、本明細書の用語法や表現法は、教示及び指導の観点から当業者によって解釈されるべきである。
【００６２】
本発明の広がり及び範囲は、上記の例示的な実施形態のいずれによっても制限されるべきではなく、特許請求の範囲及びそれらの等価物に従ってのみ定義されるべきである。
【図１】
2020527891.tif 000003
【図２】
2020527891.tif 000004
【図３Ａ】
2020527891.tif 000005
【図３Ｂ】
2020527891.tif 000006
【図４】
2020527891.tif 000007
【図５】
2020527891.tif 000008
【図６】
2020527891.tif 000009
【図７】
2020527891.tif 000010
【図８】
2020527891.tif 000011
【図９】
2020527891.tif 000012
【図１０】
2020527891.tif 000013
【国際調査報告】
2020527891.tif 000014
2020527891.tif 000015